(57)【要約】      （修正有）【課題】複数の表示パネルを有する表示部において、表示項目ごとに適切に反転表示を行い、ユーザの視認性向上と誤認防止を両立する。【解決手段】携帯型生体情報表示装置は、第１の表示パネル２０３ａと第２の表示パネル２０３ｂが同一面に配置された表示部と、第１の表示パネル２０３ａの情報表示と第２の表示パネル２０３ｂの情報表示を個別に制御する表示制御手段と、を有し、表示制御手段は、第１の表示パネル２０３ａおよび第２の表示パネル２０３ｂに表示される情報を反転して表示可能であり、情報は、反転が禁止される情報と、反転が許容される情報が含まれる。【選択図】図５
2018000298.tif 000002
【特許請求の範囲】
【請求項１】
第１の表示パネルと第２の表示パネルが同一面に配置された表示部と、
前記第１の表示パネルの情報表示と前記第２の表示パネルの情報表示を個別に制御する表示制御手段と、を有し、
前記表示制御手段は、前記第１の表示パネルおよび前記第２の表示パネルに表示される情報を反転して表示可能であり、
前記情報は、反転が禁止される情報と、反転が許容される情報が含まれることを特徴とする携帯型生体情報表示装置。
【請求項２】
前記表示制御手段は、前記第１の表示パネルおよび前記第２の表示パネルに表示される情報を１８０°反転して表示可能であることを特徴とする請求項１に記載の携帯型生体情報表示装置。
【請求項３】
前記反転が禁止される情報は、生体情報の計測結果を含み、
前記反転が許容される情報は、動作状態のテキスト情報を含むことを特徴とする請求項１または２に記載の携帯型生体情報表示装置。
【請求項４】
前記第１の表示パネルと前記第２の表示パネルは隣接して配置されていることを特徴とする請求項１ないし３のいずれか１項に記載の携帯型生体情報表示装置。
【請求項５】
前記携帯型生体情報表示装置は、被検者に装着された状態で使用可能であることを特徴とする請求項１ないし４のいずれか１項に記載の携帯型生体情報表示装置。
【請求項６】
請求項１ないし５のいずれか１項に記載の携帯型生体情報表示装置を含む携帯型生体情報測定装置。
【発明の詳細な説明】
【技術分野】
【０００１】
本発明は、心電図や血圧などの生体情報を表示する携帯型生体情報表示装置に関する。
【背景技術】
【０００２】
特許文献１には、心電図、動脈血酸素飽和度（ＳｐＯ2）、血圧などの生体情報を測定するホルタ心電計などの携帯型生体情報測定装置において、表示部を回動可能に支持した構造が記載されている。
【先行技術文献】
【特許文献】
【０００３】
【特許文献１】特許第４５５５００１号公報
【発明の概要】
【発明が解決しようとする課題】
【０００４】
上記特許文献１によれば、表示部を回動させると表示内容が１８０°反転して表示されるので、被検者は携帯型生体情報測定装置（以下、測定装置）を装着した状態であっても正しい向きで表示内容を見ることができるようになる。その一方で、表示部を反転させた状態では、測定装置を装着している被検者以外の医療従事者は、正しい向きで表示内容を見ることができなくなり、誤認する虞がある。
【０００５】
測定装置に表示される情報は、主に医療従事者が見る心電図や血圧などの計測結果などの表示項目と、被検者が見る動作状態や動作説明などの表示項目が存在し、これら複数の表示項目を、１つの表示パネル上で表示項目ごとに反転して表示できれば、測定装置を装着した被検者と医療従事者とが同時に表示項目を見ることができるようになる。しかしながら、複数の表示項目を、１つの表示パネル上で表示項目ごとに反転するような表示処理は技術的には可能であるが複雑な制御となる。また、表示項目の中には反転しない方がよいものもある。例えば、心電図などは、反転してしまうと医療従事者が波形を誤認する可能性があり、また、被検者に見せると不安感を増大させてしまうこともある。
【０００６】
本発明は、上述した課題に鑑みてなされ、その目的は、複数の表示パネルを有する表示部において、表示項目ごとに適切に反転表示を行い、ユーザの視認性向上と誤認防止を両立することができる携帯型生体情報表示装置を実現することである。
【課題を解決するための手段】
【０００７】
上記課題を解決し、目的を達成するために、本発明の携帯型生体情報表示装置は、第１の表示パネルと第２の表示パネルが同一面に配置された表示部と、前記第１の表示パネルの情報表示と前記第２の表示パネルの情報表示を個別に制御する表示制御手段と、を有し、前記表示制御手段は、前記第１の表示パネルおよび前記第２の表示パネルに表示される情報を反転して表示可能であり、前記情報は、反転が禁止される情報と、反転が許容される情報が含まれる。
【０００８】
また、本発明の携帯型生体情報測定装置は、上記携帯型生体情報表示装置を含む。
【発明の効果】
【０００９】
本発明によれば、複数の表示パネルを有する表示部において、ユーザの視認性向上に寄与する項目は表示を反転させる一方、誤認を防止すべき項目は表示を反転しないようにすることで、ユーザの視認性向上と誤認防止を両立することができる。
【図面の簡単な説明】
【００１０】
【図１】本発明に係る実施形態の携帯型生体信号測定装置の外観斜視図（ａ）および正面図（ｂ）である。
【図２】本実施形態の携帯型生体信号測定装置の分解斜視図である。
【図３】本実施形態の携帯型生体信号測定装置の機能ブロック図である。
【図４】本実施形態の携帯型生体信号測定装置の装着例を示す図である。
【図５】本実施形態の携帯型生体信号測定装置の表示例を示す図である。
【発明を実施するための形態】
【００１１】
以下に、本発明の実施の形態について、添付図面を参照して詳細に説明する。
尚、以下に説明する実施の形態は、本発明の実現手段としての一例であり、本発明は、その趣旨を逸脱しない範囲で本実施形態を修正又は変形したものに適用可能である。
【００１２】
＜装置全体の説明＞まず、図１および図２を参照して、本実施形態の携帯型生体信号測定装置の全体構成について説明する。
【００１３】
以下では、本発明の携帯型生体情報表示装置として、被検者に装着した状態で心電図や血圧などの生体情報を計測可能な携帯型生体情報測定装置に適用した例を説明する。
【００１４】
図１および図２に示すように、本実施形態の携帯型生体情報測定装置１は、被検者に装着された状態で、心電図、動脈血酸素飽和度（ＳｐＯ2）、血圧などの生体情報を長時間にわたって計測可能なホルタ心電計（以下、測定装置）である。測定装置１は、装置の外形を構成する第１のケース部２ａと第２のケース部２ｂとを備える。第１のケース部２ａの正面部には表示部３および操作部４が設けられる。また、第１のケース部２ａの側面部には、カフや電極、ＳｐＯ2プローブを接続するためのインタフェースコネクタ５が設けられている。第２のケース部２ｂには、電池収納部６などが設けられる。また、第１のケース部２ａの内部には、表示モジュールや計測モジュールを有する制御基板７やポンプ組立体１００などが収容される。
【００１５】
表示部３は、計測結果や設定情報、動作状態や動作説明などを表示する表示パネルを有する。操作部４は、電源／決定ボタンや計測開始ボタン、イベントボタンなどのユーザ操作を受け付ける押しボタン式スイッチである。医療従事者は、表示部３に表示された設定項目を操作部４を操作して選択することで各種の設定を行う。
【００１６】
制御基板７上には、ＣＰＵやメモリなどの演算処理回路、スイッチ素子、圧力センサなどの電気部品、表示モジュールおよび計測モジュールが実装されている。表示部３は、同じ形状およびサイズ（例えば正方形）の複数（本例では、２個）の表示パネル２０３ａ、２０３ｂが第１のケース部２ａの同一面に隣接して配置されている。なお、心電図、動脈血酸素飽和度（ＳｐＯ2）、血圧などの計測方式については既知であるので詳細な説明は省略する。ＣＰＵは、メモリに記憶された各種生体情報の測定プログラムの手順に従い、操作部４からの操作信号に基づいて生体情報の計測処理や記録処理、表示処理を実行する。
【００１７】
＜表示制御＞次に、図３から図５を参照して、本実施形態の測定装置１における表示部３の表示制御について説明する。
【００１８】
図３は、本実施形態の表示制御を実現するための測定装置１の機能ブロック図である。
【００１９】
図３において、ＣＰＵ３０１はＲＯＭ３０２に格納されている制御プログラムを実行して装置全体の制御を司る。ＲＯＭ３０２は、ＣＰＵ３０１が実行するプログラムや処理に必要なパラメータ等を記憶する。ＲＡＭ３０３は、各種処理経過等を一時的に記憶する。メモリカード３０４は、被検者から収集した心電図情報等をデジタルデータの形式で記憶する。カードスロット３０５は、メモリカード３０４を装着するためのインタフェースを有する。表示部３は、第１の表示パネル２０３ａと第２の表示パネル２０３ｂを有する。
【００２０】
アナログ−デジタル変換器（Ａ／Ｄ変換器）３０９は、被検者から得たアナログ検出情報を対応するデジタル情報に変換する。センサ用Ｉ／Ｆ３１０は、生体情報を取得するための電極、センサ等を接続するためのインタフェースコネクタ５を含む。本実施形態の測定装置１には、ＳｐＯ2（動脈血酸素飽和度）プローブ３１１、心電図用電極３１２および血圧・脈波計測用のカフ３１３が接続可能である。通信Ｉ／Ｆ３２０は、例えばホストコンピュータやプリンタ、あるいは他の心電計等の外部機器５０と通信を行うインタフェースである。
【００２１】
上述した構成を有する測定装置１を用いて例えば心電図と血圧の計測および記録を行う場合、被検者の体表面の所定の位置に装着された心電図用電極３１２のコネクタ部分と被検者の上腕に装着されたカフ３１３のエアコネクタ部分を各インタフェースコネクタ５に接続する。そして、操作部４から被検者の個人情報（例えば氏名、年齢、性別など）を入力し、被検者情報としてメモリカード３０４に記録する。被検者による計測開始指示などにより、計測処理および記録処理が開始され、検出された電気信号はノイズ除去や増幅処理などを行い、Ａ／Ｄ変換器３０９でデジタル信号に変換された後、メモリカード３０４へ記憶される。
【００２２】
上記構成において、ＣＰＵ１は、以下に説明するような表示制御を行う。
【００２３】
本実施形態の表示部３の第１の表示パネル２０３ａおよび第２の表示パネル２０３ｂは、表示内容および表示を反転するか否かを個別に制御可能である。つまり、第１および第２の表示パネル２０３ａ、２０３ｂごとに異なる情報を表示でき、かつ、表示を反転させることができる。そこで、本実施形態では、第１の表示パネル２０３ａに表示する情報と、第２の表示パネル２０３ｂに表示する情報を異ならせ、かつ、表示される情報に応じてそれぞれの表示パネル２０３ａ、２０３ｂの表示情報を反転しないで表示するか、いずれか一方を１８０°反転させて表示するか、あるいは、いずれも反転して表示するかを制御する。これにより、複数の表示パネル２０３ａ、２０３ｂが隣接配置された表示部３において、例えば、第１の表示パネル２０３ａに心電図、第２の表示パネル２０３ｂに血圧を表示して同時に確認できるようにしたり、第１の表示パネル２０３ａに心電図や血圧やＳｐＯ2、第２の表示パネル２０３ｂに被検者情報（氏名やＩＤ）や動作状態や動作説明を表示するといった制御が可能となる。また、第１の表示パネル２０３ａに設定項目の一覧表示し、第２の表示パネル２０３ｂには第１の表示パネル２０３ａの一覧から選択された設定項目の詳細な設定値などを表示するといった制御が可能となる。
【００２４】
また、表示部３に表示される情報には、反転が禁止される表示情報と反転が許容される表示情報が設定されている。反転が禁止される表示情報は、例えば、図５に示すように第１の表示パネル２０３ａに表示される。反転が禁止される表示情報は、例えば、被検者情報設定表示、心電図波形表示、血圧計測値表示、ＳｐＯ2・血圧トレンド表示、データ記録設定、データ表示設定、心電図記録設定、血圧計測設定、ＳｐＯ2計測設定などの各種設定項目を含む。被検者情報設定表示は、被検者の氏名や固有の識別番号（ＩＤ）の入力（設定）のための表示である。
【００２５】
データ記録設定では、心電図波形、血圧、ＳｐＯ2の各パラメータを記録するか否かを設定できる。データ表示設定では、記録中に心電図波形、血圧値情報、ＳｐＯ2値情報を表示させるか否かを設定できる。心電図記録設定では、心電図記録のチャネル数、時定数、感度、ペースメーカ検出、ペースメーカ検出チャネル、ペースメーカ検出感度を設定できる。血圧計測設定では、血圧計測の計測期間、血圧計測時のブザー音、加圧上限値、心電図同期チャネル、血圧計測方法、自動計測区間を設定できる。ＳｐＯ2計測設定では、ＳｐＯ2計測の計測期間、記録時間、計測区間を設定できる。
【００２６】
また、反転が許容される表示情報は、例えば、図５に示すように第２の表示パネル２０３ｂに表示される。反転が許容される表示情報は、例えば、被検者情報表示や動作状態表示（例えば、計測開始、計測中、計測終了、イベント、時計）などのテキスト表示項目を含む。被検者情報表示では、被検者の氏名や固有の識別番号（ＩＤ）などを表示する。
【００２７】
上述した各種設定項目は、電源／決定ボタンを押すことで表示部３に表示される。ユーザは、任意の設定項目をイベントボタンを押すことで選択し、電源／決定ボタンを押すことで選択した項目の設定を完了できる。
【００２８】
本実施形態の測定装置１は、同時に表示部３を見るユーザが複数存在することを想定している。複数のユーザには、例えば、被検者の他に、医師や看護師などの医療従事者が含まれる。特に、図４（ａ）、（ｂ）に示すように被検者が測定装置１をベルトにより装着した状態では、被検者と医療従事者は互いに相反する方向から表示部３を見ることになる。つまり、被検者は、図４（ｂ）のように測定装置１を装着したまま上方に傾けて表示部３を見ることになり、また、医療従事者は被検者に装着された状態のままで測定装置１を見ることができる。この場合、被検者と医療従事者のどちらの側からの視認性も向上できることが望ましい。そこで、本実施形態では、図５に示すように、第１の表示パネル２０３ａには反転が禁止される情報を表示し、第２の表示パネル２０３ｂには反転が許容される情報を表示するように制御を行う。このようにすることで、例えば、主に被検者が確認を行う動作状態表示などは被検者が見やすいようにすると同時に、主に医療従事者が操作や確認を行う計測設定や計測結果は医療従事者から見えるように表示することができる。
【００２９】
なお、測定装置１にジャイロセンサなどを設けて重力方向に対する装置の傾きを検知し、図４（ｂ）のように被検者が装置を傾けたときの角度が所定の角度以上となった場合に、反転が許容される情報について反転して表示するようにしてもよい。
【００３０】
上述した実施形態によれば、複数の表示パネル２０３ａ、２０３ｂを有する表示部３において、ユーザの視認性向上に寄与する項目は表示を反転させる一方、誤認を防止すべき項目は表示を反転しないようにすることで、ユーザの視認性向上と誤認防止を両立することができる。
【００３１】
なお、本実施形態ではホルタ心電計を例示したが、本発明は、これに限られず、被検者に装着した状態で生体情報を計測可能な携帯型の医療機器に適用可能である。
【符号の説明】
【００３２】
１…携帯型生体情報測定装置、３…操作部、４…表示部、２０３ａ、２０３ｂ…表示パネル、３０１…ＣＰＵ
【図１】
2018000298.tif 000003
【図２】
2018000298.tif 000004
【図３】
2018000298.tif 000005
【図４】
2018000298.tif 000006
【図５】
2018000298.tif 000007